【事件の表示】
　特願２０１３−１９３４４１「ゲームシステム、それに用いられる制御方法及びコンピュータプログラム」拒絶査定不服審判事件〔平成２７年　３月３０日出願公開、特開２０１５−　５８１３９〕について、次のとおり審決する。
【結　論】
　本件審判の請求は、成り立たない。
【理　由】
１　手続の経緯
　本件出願は、平成２５年９月１８日の出願であって、平成２８年４月２２日、同年１２月２２日付けで手続補正がされ、平成２９年６月２６日付けで拒絶の査定（以下「原査定」という。）がされ、同年１０月３日に拒絶査定に対する審判の請求がされると同時に手続補正がされたものである。　
２　本願発明
　本願の請求項１に係る発明（以下「本願発明」という。）は、平成２９年１０月３日付けで補正された特許請求の範囲、明細書、及び図面の記載からみて、特許請求の範囲の請求項１に記載された事項によって特定されるべきものであり、その記載は次のとおりである。
　「各プレイヤにゲームを提供するゲームシステムであって、
　前記ゲームをそれぞれ提供する複数のゲーム機と、
　前記複数のゲーム機にネットワークを介して接続されるサーバ装置と、
　前記ゲームで使用されるゲーム要素に関連する関連情報が前記複数のゲーム機のうち二以上のゲーム機を対象に含むように自己とは別の情報伝達媒体を通じて各プレイヤに提供される提供時期の情報を取得する時期情報取得手段と、
　前記時期情報取得手段によって取得された前記提供時期の情報に基づいて、前記ゲーム要素の使用期間を当該使用期間の一致により当該使用期間において前記二以上のゲーム機が前記ゲーム要素を使用する前記ゲームを共通に提供するように制御する期間制御手段と、
を備える、ことを特徴とするゲームシステム。」
３　刊行物に記載された事項
　
（１）原査定に引用した特開２００１−９１６２号公報（以下「刊行物１」という。）には、以下の事項が記載されている。（下線は、当審で付与した。以下同じ。）
ア　「【００１７】本発明によれば、プレーヤがゲームプレイにおいて所与の条件を満たした場合には、時間条件が未だ満たされていないタイムリリース候補項目が、先行リリースされるようになる。従って、プレーヤは、タイムリリース候補項目を先行リリースさせたいがために、ゲームに熱中するようになり、ゲームの面白さを効果的に高めることができる。
【００１８】また本発明に係る
ゲームシステム
イ　「【００２９】なお本発明（本実施形態）の
処理を実現するための情報は、ホスト装置（サーバー）が有する情報記憶媒体からネットワーク及び通信部１７４を介して情報記憶媒体１５０に配信
ウ　「【００３９】
リリース部１１６は、候補項目を、
リリースするための処理を行
【００４０】
より具体的には、時間計測部１１４での計測結果に基づいて、所与の時間条件が満たされた否か
を判断
上記時間条件が満たされると、
候補項目
がリリースされ
　
エ　「【０１０５】図１２（Ｃ）に、
ホスト装置１３００と、このホスト装置１３００と
ネットワーク
を介して接続される端末１３０４−１〜１３０４−ｎとを含むゲームシステム
　
オ　「【０１０７】また通信回線に接続する
端末は、家庭用ゲームシステムであってもよいし業務用ゲームシステムであってもよ
　前記の記載を総合すると、刊行物１には、次の発明（以下「刊行物１発明」という。）が開示されていると認められる。
　
　「ホスト装置１３００と、このホスト装置１３００とネットワークを介して接続される端末１３０４−１〜１３０４−ｎとを含むゲームシステムであり、端末は、家庭用ゲームシステムであってもよいし業務用ゲームシステムであってもよく、処理を実現するための情報は、ホスト装置（サーバー）が有する情報記憶媒体からネットワーク及び通信部１７４を介して情報記憶媒体１５０に配信され、リリース部１１６は、候補項目を、リリースするための処理を行い、より具体的には、時間計測部１１４での計測結果に基づいて、所与の時間条件が満たされた否かを判断し、上記時間条件が満たされると、候補項目がリリースされるゲームシステム。」
（２）原査定に引用された特開２００３−９１４７６号公報（以下「刊行物２」という。）には、以下の事項が記載されている。
　　
ア　「【０００５】一方、ユーザ端末毎に異なる管理下で、統一した管理を行わなければならない部分も存在する。例えば、新たに発表される楽曲などに係る
コンテンツデータに関しては、解禁日と呼ばれる公開日時が設定され
【０００６】この解禁日に合わせて、コンテンツ配信システムにおけるコンテンツデータの日時も管理されている。この場合、解禁日の日時と同時に、一斉に、コンテンツデータやそのダウンロードを可能とするＷｅｂ用ページ及びモバイル用ページなどを顧客ユーザ側に公開するようにしている。」
イ　「【０００８】また、
解禁日と呼ばれる日時は、
テレビやラジオなどの他のメディアと連動して設定されて
【０００９】上記課題を解決するため、本発明は、手作業による入力ミスをなくし、労力の削減を図り、
複数の種類のユーザ端末を対象とした複数の配信サービス
コンテンツ配信システム
ウ　「【００１６】
コンテンツデータを受信する顧客ユーザ側２０は
ユーザ端末２０１によって、
ネットワーク３０に接続でき
エ　「【００２２】
配信サーバ１１０は、ネットワーク３０を介して、顧客ユーザ側２０にコンテンツデータを配信する
　前記の記載を総合すると、刊行物２には、次の発明（以下「刊行物２発明」という。）が開示されていると認められる。
　「コンテンツデータに関しては、解禁日と呼ばれる公開日時が設定され、解禁日と呼ばれる日時は、テレビやラジオなどの他のメディアと連動して設定されている、複数の種類のユーザ端末を対象とした複数の配信サービスであり、コンテンツデータを受信する顧客ユーザ側２０はユーザ端末２０１によって、ネットワーク３０に接続でき、配信サーバ１１０は、ネットワーク３０を介して、顧客ユーザ側２０にコンテンツデータを配信するコンテンツ配信システム。」
　　
４　対比                         
　
本願発明と刊行物１発明とを対比する。
　
（１）後者の「ホスト装置」は、前者の「サーバ装置」に相当し、以下同様に、「端末」は「ゲーム機」に、「候補項目」は「ゲーム要素」に、「リリース部１１６」は「期間制御手段」に相当する。
（２）後者の「端末１３０４−１〜１３０４−ｎ」は、ｎ個の端末それぞれにプレイヤがいると解されるから、後者の「ゲームシステム」は、前者の「各プレイヤにゲームを提供するゲームシステム」であるといえる。
（３）後者の「端末１３０４−１〜１３０４−ｎ」は、ｎ個あるから、前者の「複数のゲーム機」及び「複数のゲーム機のうち二以上のゲーム機」に相当する。
　
（４）後者は、「所与の時間条件が満たされた否かを判断し、上記時間条件が満たされると、候補項目（本願発明の「ゲーム要素」に相当。）がリリースされる」から、後者の「所与の時間条件」は、前者の「提供時期の情報」及び「ゲーム要素に関連する関連情報」に相当する。
　　
（５）後者において、「所与の時間条件」（本願発明の「ゲーム要素に関連する関連情報」に相当する。）が、「端末１３０４−１〜１３０４−ｎ」（本願発明の「複数のゲーム機のうち二以上のゲーム機」に相当する。）を対象としていることは、明らかであるから、後者は、前者の「前記ゲームで使用されるゲーム要素に関連する関連情報が前記複数のゲーム機のうち二以上のゲーム機を対象に含む」ことを備えているといえる。                 
（６）後者の「所与の時間条件」は、「処理を実現するための情報」の一部であると解され、後者は「処理を実現するための情報」を「通信部１７４を介して情報記憶媒体１５０に配信」するものであるので、「通信部１７４」は「所与の時間条件」（本願発明の「提供時期の情報」に相当。）を取得するといえる。
　そして、前者の「時期情報取得手段」は「提供時期の情報を取得する」ものである。してみると、前者の「時期情報取得手段」と後者の「通信部１７４」の両者は、「提供時期の情報」（「所与の時間条件」）を取得するものであるから、後者の「通信部１７４」は前者の「時期情報取得手段」に相当する。
　
（７）後者は、「候補項目（本願発明の「ゲーム要素」に相当。）」を、リリースするものであり、リリースの後、一定の期間、候補項目に関する情報を提供していることは明らかであるから、後者は、前者の「（ゲーム要素の）使用期間」を実質的に備えているといえる。        
（８）後者において、「時間条件が満たされると、候補項目を、リリース」すると「候補項目」の使用期間が始まり、「リリース」は「端末１３０４−１〜１３０４−ｎ」の各々について「時間条件が満たされると」同時になされるから、ｎ個の「端末１３０４−１〜１３０４−ｎ」（前者の「複数のゲーム機のうち二以上のゲーム機」に相当。）それぞれの「候補項目」（前者の「ゲーム要素」に相当。）の使用期間は、一致しており、「端末１３０４−１〜１３０４−ｎ」は「候補項目」（前者の「ゲーム要素」に相当。）を使用するゲームを共通に提供されるといえる。
　よって、後者は前者の「ゲーム要素の使用期間を当該使用期間の一致により当該使用期間において前記二以上のゲーム機が前記ゲーム要素を使用する前記ゲームを共通に提供する」ことを備えている。
　　
　以上のことより、両者は、　
               
〈一致点〉
「各プレイヤにゲームを提供するゲームシステムであって、
　前記ゲームをそれぞれ提供する複数のゲーム機と、
　前記複数のゲーム機にネットワークを介して接続されるサーバ装置と、
　前記ゲームで使用されるゲーム要素に関連する関連情報が前記複数のゲーム機のうち二以上のゲーム機を対象に含むように提供時期の情報を取得する時期情報取得手段と、
　前記時期情報取得手段によって取得された前記提供時期の情報に基づいて、前記ゲーム要素の使用期間を当該使用期間の一致により当該使用期間において前記二以上のゲーム機が前記ゲーム要素を使用する前記ゲームを共通に提供するように制御する期間制御手段と、
を備える、ことを特徴とするゲームシステム。」
　である点で一致し、以下の点で相違している。
＜相違点＞
　本願発明の「提供時期の情報」が「自己とは別の情報伝達媒体を通じて各プレイヤに提供される」ことが、刊行物１発明には備えられていない点。
　
５　判断
相違点について検討する。
（１）相違点に係る本願発明の「自己とは別の情報伝達媒体を通じて各プレイヤに提供される提供時期の情報」の「自己」について検討する。
　本願発明（本願請求項１）を引用する本願請求項３は、「
自己の位置を特定
  前記提供時期は、位置に応じて設定され、
  前記時期情報取得手段は、前記位置特定手段によって特定された前記自己の位置に基づいて、当該自己の位置に対応する前記
提供時期の情報を取得
各ゲーム機ＧＭが自己の位置を特定
提供日データＰＤを取得
（２）刊行物２発明の「テレビやラジオなどの他のメディア」は、「メディア」であるから「情報伝達媒体」といえ、「ネットワーク３０を介して、・・・コンテンツデータを配信する」「コンテンツ配信システム」（本願発明の「自己」に相当する。）とは別の媒体であることは明らかであるから、相違点に係る本願発明の「自己とは別の情報伝達媒体」に相当する。
　刊行物２発明の「解禁日と呼ばれる日時」は、時期に関する情報といえるから、本願発明の「提供時期の情報」に相当し、刊行物２発明の「解禁日と呼ばれる日時は、テレビやラジオなどの他のメディアと連動して設定されている」ことは、解禁日と呼ばれる日時は、テレビやラジオなどの他のメディアにより「コンテンツ配信システム」の各利用者に知らされる（提供される）ことを前提としていると解される。
　よって、刊行物２発明は相違点に係る本願発明の「自己とは別の情報伝達媒体を通じて各プレイヤに提供される提供時期の情報」に相当する構成を備えており、これを刊行物１発明の「所与の時間条件」（本願発明の「提供時期の情報」に相当。）に付加することは、ゲームの情報をテレビやラジオなどのメディアで提供することが一般的であることに鑑みれば、当業者にとって格別困難なことではなく、また、その結果として、本願発明において格別の作用効果が生じるものでもない。
　また、本願発明１の発明特定事項全体によって奏される作用効果も、刊行物１発明、刊行物２発明から、当業者が予測しうる程度のものである。
　したがって、本願発明は、刊行物１発明、刊行物２発明に基づいて、当業者が容易に発明をすることができたものである。
　
６　むすび
　以上のとおり、本願発明は、刊行物１発明、刊行物２発明に基づいて、当業者が容易に発明をすることができたものであり、特許法第２９条第２項の規定により特許を受けることができない。
　したがって、本願は、他の請求項について検討するまでもなく、拒絶されるべきものである。